(57)【要約】【課題】  簡単な回路構成で、素子の大きさを小さくすることができ、かつ負荷が短絡したとき、その素子の破壊を防止することができる出力遮断回路および電子機器を提供する。【解決手段】  時刻ｔ１に負荷が地絡し、出力電流Ｉｏｕｔが増大すると、電流検出用抵抗Ｒｓでの電圧降下が増加し、トランジスタＱ２がオンとなる。トランジスタＱ２は、直流電源１１から供給される電流をコレクタ電流Ｉｃとしてゲート抵抗Ｒｇに流し、ゲート電圧ＶＧを上昇させ、出力電流Ｉｏｕｔを制限電流値Ｉｌｉｍで制限する。ゲート抵抗Ｒｇを流れる電流の一部がタイマ用コンデンサＣ１を充電し、トランジスタＱ３のベース電圧が上昇すると、トランジスタＱ３はオンになる。トランジスタＱ３がオンになると、トランジスタＱ２はフルオン状態となり、トランジスタＱ１のゲートソース間の電圧がほぼ０Ｖとなり、トランジスタＱ１はオフし、シャットダウン状態となる。【選択図】      図２
2011041393.tif 000002
【特許請求の範囲】
【請求項１】
入力端子、負荷に接続されている出力端子、および第１の抵抗素子を介して接地されている制御端子を備える第１のトランジスタの入力端子に一端が接続され、他端が直流電源に接続されている電流検出用抵抗素子と、
エミッタが直流電源に接続され、ベースが電流検出用抵抗素子と第１のトランジスタの入力端子との接続点に接続され、コレクタが第１のトランジスタの制御端子と第１の抵抗素子との接続点に接続され、電流検出用抵抗素子の電圧降下が予め定める電圧になると、制御端子の電圧が、第１のトランジスタが予め定める電流値の電流を出力する電圧になる電流を第１の抵抗素子へ供給するＰＮＰ型の第２のトランジスタと、
制御端子の電圧が、第１のトランジスタが予め定める電流値の電流を出力する電圧になった時点から予め定める時間を計時する計時手段と、
エミッタが接地され、コレクタが第２のトランジスタのベースに接続され、ベースが計時手段に接続され、計時手段によって予め定める時間が計時されたとき導通状態となり、制御端子の電圧が第１のトランジスタが遮断状態となる電圧になる電流を、第１の抵抗素子へ第２のトランジスタに供給させるＮＰＮ型の第３のトランジスタとを含むことを特徴とする出力遮断回路。
【請求項２】
前記制御端子の電圧を監視し、監視する前記制御端子の電圧が、第１のトランジスタが遮断状態になる電圧になった時点から経過した時間を計時し、計時した時間が予め定める第２の時間になったとき、前記第３のトランジスタを遮断状態にするための遮断信号を前記第３のトランジスタのベースに出力する制御手段をさらに含むことを特徴とする請求項１に記載の出力遮断回路。
【請求項３】
前記第３のトランジスタのコレクタと第２の抵抗素子との接続点の電圧を監視し、監視する前記接続点の電圧が、第１のトランジスタが遮断状態になる電圧になった時点から経過した時間を計時し、計時した時間が予め定める第２の時間になったとき、前記第３のトランジスタを遮断状態にするための遮断信号を前記第３のトランジスタのベースに出力する制御手段をさらに含むことを特徴とする請求項１に記載の出力遮断回路。
【請求項４】
前記計時手段を含み、前記制御端子の電圧を監視し、監視する前記接続点の電圧が、第１のトランジスタが遮断状態になる電圧になった時点から経過した時間を計時し、計時した時間が予め定める第２の時間になったとき、前記第３のトランジスタを遮断状態にするための遮断信号を前記第３のトランジスタのベースに出力する制御手段をさらに含むことを特徴とする請求項１に記載の出力遮断回路。
【請求項５】
入力端子、負荷に接続されている出力端子、および第１の抵抗素子を介して接地されている制御端子を備える第１のトランジスタの入力端子に一端が接続され、他端が直流電源に接続されている電流検出用抵抗素子と、
エミッタが直流電源に接続され、ベースが第１のトランジスタの入力端子と電流検出用抵抗素子との接続点に接続され、コレクタが第１のトランジスタの制御端子と第１の抵抗素子との接続点に接続され、電流検出用抵抗素子の電圧降下が予め定める電圧になると、制御端子の電圧が、第１のトランジスタが予め定める電流値の電流を出力する電圧になる電流を第１の抵抗素子へ供給するＰＮＰ型の第２のトランジスタと、
制御端子の電圧が、第１のトランジスタが予め定める電流値の電流を出力する電圧になり、出力端子の電圧が予め定める第３の電圧まで低下した時点から予め定める時間を計時する計時手段と、
エミッタが第１のトランジスタの入力端子と電流検出用抵抗素子との接続点に接続され、コレクタが第１のトランジスタの制御端子と第１の抵抗素子との接続点に接続され、ベースが計時手段に接続され、計時手段によって予め定める時間が計時されたとき、導通状態となるＰＮＰ型の第３のトランジスタと、
制御端子の電圧を分圧した電圧を監視し、監視する制御端子の電圧を分圧した電圧が、第１のトランジスタを遮断状態とする電圧になった時点から経過した時間を計時し、計時した時間が予め定める第２の時間になったとき、第３のトランジスタを遮断状態にするための遮断信号を第３のトランジスタのベースに出力する制御手段をさらに含むことを特徴とする出力遮断回路。
【請求項６】
前記計時手段は、
エミッタが電流検出用抵抗素子と第１のトランジスタの入力端子との接続点に接続されているＰＮＰ型の第４のトランジスタと、
一端が第４のトランジスタのベースに接続され、他端が出力端子に接続されている第３の抵抗素子と、
一端が第４のトランジスタのコレクタに接続されている第４の抵抗素子と、
一端が第４の抵抗素子の他端に接続され、他端が接地されている第５の抵抗素子と、
一端が前記第３のトランジスタのベース、および第４の抵抗素子と第５の抵抗素子との接続点に接続され、他端が接地されているコンデンサとを含むことを特徴とする請求項１に記載の出力遮断回路。
【請求項７】
前記計時手段は、
前記第４のトランジスタのコレクタと第４の抵抗素子との間に設けられる第６の抵抗素子と、
第４の抵抗素子と第６の抵抗素子との接続点の電圧を予め定める第３の電圧以下にするクランプ部とをさらに含むことを特徴とする請求項６に記載の出力遮断回路。
【請求項８】
請求項１〜７のいずれか１つに記載の出力遮断回路を備える電子機器。
【発明の詳細な説明】
【技術分野】
【０００１】
本発明は、過電流に対して電源回路を保護する出力遮断回路および電子機器に関する。
【背景技術】
【０００２】
図１は、従来の技術による出力遮断回路９を備える電源回路９０の回路構成を示す図である。電源回路９０は、直流電源１１と出力部１３との間に、出力遮断回路９の電流検出用抵抗素子（以下「抵抗素子」を単に「抵抗」という）Ｒｓと、ＰチャネルＭＯＳＦＥＴ（Metal Oxide Semiconductor Field Effect Transistor：以下単に「トランジスタ」という）Ｑ１からなるスイッチ回路とがこの順序で設けられている。
【０００３】
トランジスタＱ１は、ソースが電流検出用抵抗Ｒｓに接続され、ドレインが出力部１３、および一端が接地されているコンデンサＣｏｕｔの他端に接続され、ゲートがゲート抵抗を介して接地されている。出力部１３には、図示しない負荷が接続されている。トランジスタＱ１に過電流が流れていない状態、つまり出力遮断回路９が働いていない状態では、トランジスタＱ１のゲート電圧ＶＧは、ほぼグランドレベルになっており、トランジスタＱ１を導通状態にしているが、ゲート電流は、ほぼゼロである。
【０００４】
出力遮断回路９は、電流検出用抵抗Ｒｓの他に、ＰＮＰ型のバイポーラトランジスタ（以下単に「トランジスタ」という）Ｑ２と、抵抗Ｒ１とを含んで構成されている。トランジスタＱ２は、エミッタが直流電源１１と電流検出用抵抗Ｒｓとの接続点に接続され、コレクタがトランジスタＱ１のゲートとゲート抵抗との接続点に接続され、ベースが抵抗Ｒ１の一端に接続されている。抵抗Ｒ１の他端は、電流検出用抵抗ＲｓとトランジスタＱ１のソースとの接続点に接続されている。
【０００５】
出力遮断回路９は、トランジスタＱ１を流れる電流が増加し、電流検出用抵抗Ｒｓでの電圧降下が規定値以上になったとき、トランジスタＱ２を導通状態とすることによって、トランジスタＱ１のゲートソース間の電圧差を小さくして、トランジスタＱ１を流れる電流を制限する。負荷が地絡したとき、つまり出力部１３から出力される出力電流が異常に増大したとき、トランジスタＱ２に電流が流れるときのエミッタとベースと間の電圧降下（以下「ベースエミッタ間電圧」という）をＶＢＥとすると、トランジスタＱ１を流れる制限された電流の電流値をＩｌｉｍとすると、制限電流値Ｉｌｉｍは、ＶＢＥ／Ｒｓで求められる。すなわち、出力遮断回路９は、制限電流値Ｉｌｉｍ＝ＶＢＥ／Ｒｓで電流制限をかける。
【０００６】
特許文献１に記載されるＤＣ（直流）−ＤＣコンバータの入力回路は、入力回路に流れる電流を制御するためのＮチャネルＭＯＳＦＥＴと、ＮチャネルＭＯＳＦＥＴに直列に接続されている入力電流検出用抵抗と、入力電流検出用抵抗の両端間の電圧に応じてＮチャネルＭＯＳＦＥＴのゲート電圧を制御するＮＰＮトランジスタと、ＮチャネルＭＯＳＦＥＴのソースゲート間に設けられるコンデンサとを含んで構成されている。ＮＰＮトランジスタは、入力電流検出用抵抗の両端間の電圧に応じたコレクタ電流によって、ＮチャネルＭＯＳＦＥＴのゲート電圧を下げて、ＮチャネルＭＯＳＦＥＴのオン抵抗を制御し、突入電流の防止と入力電流の遮断とを行っている。さらに、入力電流検出用抵抗の電圧を平均化し、平均化した電圧が基準電圧を超えたとき、ＮＰＮトランジスタのコレクタ電流を増加させて、ＮチャネルＭＯＳＦＥＴをオフにする回路を有する。
【先行技術文献】
【特許文献】
【０００７】
【特許文献１】特許第３３０２９５１号公報
【発明の概要】
【発明が解決しようとする課題】
【０００８】
しかしながら、入力電圧が高い場合、あるいは制限電流値Ｌｌｉｍが大きく設定されている場合、負荷が地絡すると、トランジスタＱ１および電流検出用抵抗Ｒｓでの電力損失が増大して許容損失を超えると、トランジスタＱ１および電流検出用抵抗Ｒｓが破壊される可能性がある。これを避けるためには、トランジスタＱ１および電流検出用抵抗Ｒｓの許容電流および許容電力を大きくする必要がある。許容電流および許容電力が大きい部品は、その大きさが大きくなり、またコストも増大するという問題がある。
【０００９】
特許文献１に記載されるＤＣ−ＤＣコンバータの入力回路は、負荷が短絡し、入力電流検出用抵抗の電圧を平均化した電圧が基準電圧を超えたとき、ＮチャネルＭＯＳＦＥＴをオフにすることができるが、平均化した電圧が基準電圧を超えたことを、コンパレータを用いて検出しており、回路規模が大きくなるという問題がある。
【００１０】
本発明の目的は、簡単な回路構成で、素子の大きさを小さくすることができ、かつ負荷が短絡したとき、その素子の破壊を防止することができる出力遮断回路および電子機器を提供することである。
【課題を解決するための手段】
【００１１】
本発明（１）は、入力端子、負荷に接続されている出力端子、および第１の抵抗素子を介して接地されている制御端子を備える第１のトランジスタの入力端子に一端が接続され、他端が直流電源に接続されている電流検出用抵抗素子と、
エミッタが直流電源に接続され、ベースが電流検出用抵抗素子と第１のトランジスタの入力端子との接続点に接続され、コレクタが第１のトランジスタの制御端子と第１の抵抗素子との接続点に接続され、電流検出用抵抗素子の電圧降下が予め定める電圧になると、制御端子の電圧が、第１のトランジスタが予め定める電流値の電流を出力する電圧になる電流を第１の抵抗素子へ供給するＰＮＰ型の第２のトランジスタと、
制御端子の電圧が、第１のトランジスタが予め定める電流値の電流を出力する電圧になった時点から予め定める時間を計時する計時手段と、
エミッタが接地され、コレクタが第２のトランジスタのベースに接続され、ベースが計時手段に接続され、計時手段によって予め定める時間が計時されたとき導通状態となり、制御端子の電圧が第１のトランジスタが遮断状態となる電圧になる電流を、第１の抵抗素子へ第２のトランジスタに供給させるＮＰＮ型の第３のトランジスタとを含むことを特徴とする出力遮断回路である。
【００１２】
また本発明（５）は、入力端子、負荷に接続されている出力端子、および第１の抵抗素子を介して接地されている制御端子を備える第１のトランジスタの入力端子に一端が接続され、他端が直流電源に接続されている電流検出用抵抗素子と、
エミッタが直流電源に接続され、ベースが第１のトランジスタの入力端子と電流検出用抵抗素子との接続点に接続され、コレクタが第１のトランジスタの制御端子と第１の抵抗素子との接続点に接続され、電流検出用抵抗素子の電圧降下が予め定める電圧になると、制御端子の電圧が、第１のトランジスタが予め定める電流値の電流を出力する電圧になる電流を第１の抵抗素子へ供給するＰＮＰ型の第２のトランジスタと、
制御端子の電圧が、第１のトランジスタが予め定める電流値の電流を出力する電圧になり、出力端子の電圧が予め定める第３の電圧まで低下した時点から予め定める時間を計時する計時手段と、
エミッタが第１のトランジスタの入力端子と電流検出用抵抗素子との接続点に接続され、コレクタが第１のトランジスタの制御端子と第１の抵抗素子との接続点に接続され、ベースが計時手段に接続され、計時手段によって予め定める時間が計時されたとき、導通状態となるＰＮＰ型の第３のトランジスタと、
制御端子の電圧を分圧した電圧を監視し、監視する制御端子の電圧を分圧した電圧が、第１のトランジスタを遮断状態とする電圧になった時点から経過した時間を計時し、計時した時間が予め定める第２の時間になったとき、第３のトランジスタを遮断状態にするための遮断信号を第３のトランジスタのベースに出力する制御手段をさらに含むことを特徴とする出力遮断回路である。
また本発明（８）は、前記出力遮断回路を備える電子機器である。
【発明の効果】
【００１３】
本発明（１）によれば、電流検出用抵抗素子は、入力端子、負荷に接続されている出力端子、および第１の抵抗素子を介して接地されている制御端子を備える第１のトランジスタの入力端子に一端が接続され、他端が直流電源に接続されている。ＰＮＰ型の第２のトランジスタは、エミッタが直流電源に接続され、ベースが電流検出用抵抗素子と第１のトランジスタの入力端子との接続点に接続され、コレクタが第１のトランジスタの制御端子と第１の抵抗素子との接続点に接続され、電流検出用抵抗素子の電圧降下が予め定める電圧になると、制御端子の電圧が、第１のトランジスタが予め定める電流値の電流を出力する電圧になる電流を第１の抵抗素子へ供給する。計時手段によって、制御端子の電圧が、第１のトランジスタが予め定める電流値の電流を出力する電圧になった時点から予め定める時間が計時される。そして、ＮＰＮ型の第３のトランジスタは、エミッタが接地され、コレクタが第２のトランジスタのベースに接続され、ベースが計時手段に接続され、計時手段によって予め定める時間が計時されたとき導通状態となり、制御端子の電圧が第１のトランジスタが遮断状態となる電圧になる電流を、第１の抵抗素子へ第２のトランジスタに供給させる。
【００１４】
したがって、負荷が地絡している間、電流制限の後、第１のトランジスタをオフとするので、電流制限を継続する場合よりも、電流検出用抵抗ＲｓおよびトランジスタＱ１での電力損失を低減することができるので、発熱を抑えることができる。すなわち、簡単な回路構成で、素子の大きさを小さくすることができ、かつ負荷が短絡したとき、その素子の破壊を防止することができる。
【００１５】
また本発明（５）によれば、電流検出用抵抗素子は、入力端子、負荷に接続されている出力端子、および第１の抵抗素子を介して接地されている制御端子を備える第１のトランジスタの入力端子に一端が接続され、他端が直流電源に接続されている。ＰＮＰ型の第２のトランジスタは、エミッタが直流電源に接続され、ベースが第１のトランジスタの入力端子と電流検出用抵抗素子との接続点に接続され、コレクタが第１のトランジスタの制御端子と第１の抵抗素子との接続点に接続され、電流検出用抵抗素子の電圧降下が予め定める電圧になると、制御端子の電圧を第１のトランジスタが予め定める電流値の電流を出力する電圧にするための電流を第１の抵抗素子へ供給する。計時手段によって、制御端子の電圧が、第１のトランジスタが予め定める電流値の電流を出力する電圧になり、出力端子の電圧が予め定める第３の電圧まで低下した時点から予め定める時間が計時される。ＰＮＰ型の第３のトランジスタは、エミッタが第１のトランジスタの入力端子と電流検出用抵抗素子との接続点に接続され、コレクタが第１のトランジスタの制御端子と第１の抵抗素子との接続点に接続され、ベースが計時手段に接続され、計時手段によって予め定める時間が計時されたとき、導通状態となる。そして、制御手段によって、制御端子の電圧を分圧した電圧を監視し、監視する制御端子の電圧を分圧した電圧が、第１のトランジスタを遮断状態とする電圧になった時点から経過した時間を計時し、計時した時間が予め定める第２の時間になったとき、第３のトランジスタを遮断状態にするための遮断信号を前記第３のトランジスタのベースに出力する。したがって、電流制限を継続する場合よりも、電流検出用抵抗ＲｓおよびトランジスタＱ１での電力損失を低減することができるので、発熱を抑えることができる。
【００１６】
また本発明（８）によれば、前記出力遮断回路を備えるので、正常時は動作電流がゼロになり、暗電流を小さくすることができ、また、過電流時は出力を遮断して、消費電流を小さくすることができ、バッテリ切れの可能性を低減することができる。
【図面の簡単な説明】
【００１７】
【図１】従来の技術による出力遮断回路９を備える電源回路９０の回路構成を示す図である。
【図２】本発明の第１実施形態である出力遮断回路１を備える電源回路１０の回路構成を示す図である。
【図３】出力遮断回路１の動作を説明するためのタイムチャートである。
【図４】本発明の第２実施形態である出力遮断回路１ａを備える電源回路１０ａの回路構成を示す図である。
【図５】本発明の第３実施形態である出力遮断回路１ｂを備える電源回路１０ｂの回路構成を示す図である。
【図６】出力遮断回路１ｂの動作を説明するためのタイムチャートである。
【図７】本発明の第４実施形態である出力遮断回路１ｃを備える電源回路１０ｃの回路構成を示す図である。
【図８】本発明の第５実施形態である出力遮断回路１ｄを備える電源回路１０ｄの回路構成を示す図である。
【図９】本発明の第６実施形態である出力遮断回路１ｅを備える電源回路１０ｅの回路構成を示す図である。
【図１０】出力遮断回路１ｅの動作を説明するためのタイムチャートである。
【図１１】本発明の第７実施形態である出力遮断回路１ｆを備える電源回路１０ｆの回路構成を示す図である。
【図１２】出力遮断回路１ｆの動作を説明するためのタイムチャートである。
【図１３】本発明の第８実施形態である出力遮断回路１ｇを備える電源回路１０ｇの回路構成を示す図である。
【図１４】本発明の第９実施形態である出力遮断回路１ｈを備える電源回路１０ｈの回路構成を示す図である。
【図１５】出力遮断回路１ｈの動作を説明するためのタイムチャートである。
【図１６】本発明の第１０実施形態である出力遮断回路１ｊを備える電源回路１０ｊの回路構成を示す図である。
【図１７】本発明の第１１実施形態である出力遮断回路１ｋを備える電源回路１０ｋの回路構成を示す図である。
【図１８】出力遮断回路１ｋの動作を説明するためのタイムチャートである。
【図１９】本発明の第１２実施形態である出力遮断回路１ｍを備える電源回路１０ｍの回路構成を示す図である。
【図２０】車載用のＡＶＮ装置１００の構成を示す図である。
【発明を実施するための形態】
【００１８】
図２は、本発明の第１実施形態である出力遮断回路１を備える電源回路１０の回路構成を示す図である。電源回路１０は、直流電源１１、スイッチ１２、トランジスタＱ１、ゲート抵抗Ｒｇ、コンデンサＣｏｕｔ、出力部１３および出力遮断回路１を含んで構成されている。
【００１９】
直流電源１１は、直流電圧、たとえば１２Ｖを出力するバッテリであり、スイッチ１２の一端に接続されている。スイッチ１２は、一端が直流電源１１に接続され、他端が後述する電流検出用抵抗素子Ｒｓの一端に接続され、直流電源１１を出力するか否かを切り換えるスイッチである。以下、抵抗素子のことを単に「抵抗」ともいう。
【００２０】
第１のトランジスタであるトランジスタＱ１は、たとえばＰチャネルのＭＯＳＦＥＴ（Metal Oxide Semiconductor Field Effect Transistor）によって構成されており、入力端子であるソースが後述する電流検出用抵抗Ｒｓの他端に接続され、出力端子であるドレインが出力部１３、およびコンデンサＣｏｕｔの一端に接続され、制御端子であるゲートがゲート抵抗Ｒｇの一端に接続されている。コンデンサＣｏｕｔは、一端がトランジスタＱ１のドレイン、および出力部１３に接続され、他端が接地されている。出力部１３は、トランジスタＱ１のドレイン、およびコンデンサＣｏｕｔの一端に接続され、さらに図示しない負荷に接続されている。第１の抵抗素子であるゲート抵抗Ｒｇは、一端がトランジスタＱ１のゲートに接続され、他端が後述する抵抗Ｒ３を介して接地されている。
【００２１】
出力遮断回路１は、電流検出用抵抗Ｒｓ、エミッタ抵抗Ｒｅ、抵抗Ｒ１〜Ｒ３、トランジスタＱ２，Ｑ３、およびタイマ用コンデンサＣ１を含んで構成されている。電流検出用抵抗素子である電流検出用抵抗Ｒｓは、電流検出用抵抗Ｒｓを流れる電流の電流値を検出するための抵抗であり、一端がスイッチ１２の他端に接続され、他端がトランジスタＱ１のソースに接続されている。
【００２２】
エミッタ抵抗Ｒｅは、一端がスイッチ１２と電流検出用抵抗Ｒｓとの接続点に接続され、他端がトランジスタＱ２のエミッタに接続されている。抵抗Ｒ１は、一端が電流検出用抵抗ＲｓとトランジスタＱ１のソースとの接続点に接続され、他端がトランジスタＱ２のベース、および抵抗Ｒ２の一端に接続されている。第２のトランジスタであるトランジスタＱ２は、たとえばＰＮＰ型のバイポーラトランジスタによって構成され、エミッタがエミッタ抵抗の他端に接続され、ベースが抵抗Ｒ１と抵抗Ｒ２との接続点に接続され、コレクタがトランジスタＱ１のゲートとゲート抵抗Ｒｇとの接続点に接続されている。
【００２３】
第２の抵抗素子である抵抗Ｒ２は、一端が抵抗Ｒ１の他端、およびトランジスタＱ２のベースに接続され、他端がトランジスタＱ３のコレクタに接続されている。第３のトランジスタであるトランジスタＱ３は、たとえばＮＰＮ型のバイポーラトランジスタによって構成され、コレクタが抵抗Ｒ２に接続され、エミッタが接地され、ベースがゲート抵抗Ｒｇと抵抗Ｒ３との接続点、およびタイマ用コンデンサＣ１の一端に接続されている。抵抗Ｒ３は、一端がゲート抵抗Ｒｇの他端、トランジスタＱ３のベース、およびタイマ用コンデンサＣ１の一端に接続され、他端が接地されている。タイマ用コンデンサＣ１は、一端がゲート抵抗Ｒｇと抵抗Ｒ３との接続点、およびトランジスタＱ３のベースに接続され、他端が接地されている。ゲート抵抗ＲｇおよびトランジスタＱ３は、計時手段を構成する。
【００２４】
直流電源１１の出力は、スイッチ１２を介して、入力電圧ＶＩＮとして、電流検出用抵抗Ｒｓの一端に印加される。トランジスタＱ１のソースには、入力電圧ＶＩＮよりも電流検出用抵抗Ｒｓでの電圧降下分の電圧だけ低い電圧が印加される。出力部１３から負荷に供給される出力電流Ｉｏｕｔが、負荷が必要とする電流値であるとき、電流検出用抵抗Ｒｓでの電圧降下によるトランジスタＱ２のエミッタとベースとの電位差が、トランジスタＱ２のベースエミッタ間電圧ＶＢＥ未満であり、トランジスタＱ２は遮断状態（以下「オフ」という）である。
【００２５】
トランジスタＱ２がオフであるとき、トランジスタＱ１のゲート電流として流れる電流は、極めて少ないので、直列に接続されているゲート抵抗Ｒｇおよび抵抗Ｒ３での電圧降下も小さく、トランジスタＱ１のゲート電圧ＶＧは、ほぼ０Ｖである。トランジスタＱ３は、ベースの電圧がほぼ０Ｖであるのでオフである。トランジスタＱ１は、ゲート電圧ＶＧがソース電圧よりも低いので、導通状態（以下「オン」という）である。したがって、出力遮断回路１は、正常な期間、つまり出力電流Ｉｏｕｔとして負荷が必要とする電流値の電流を供給している期間では、負荷電流、つまり出力電流Ｉｏｕｔのみが電源回路１０に流れ、トランジスタＱ２，Ｑ３には、電流は流れない。
【００２６】
図３は、出力遮断回路１の動作を説明するためのタイムチャートである。正常な期間では、ゲート電圧ＶＧおよびトランジスタＱ３のベース電圧（図では「Ｑ３ベース」という）は、ほぼ０Ｖである。出力地絡の期間は、出力部１３が地絡している期間である。地絡は、たとえば基板間を接続するフレキシブル基板のコネクタのショート、あるいは基板上での半田くずによるショートなどによって発生する。
【００２７】
時刻ｔ１に負荷が地絡すると、出力電流Ｉｏｕｔが増大する。出力電流Ｉｏｕｔが増大すると、電流検出用抵抗Ｒｓでの電圧降下が増加する。電流検出用抵抗Ｒｓでの電圧降下が予め定める電圧になると、トランジスタＱ２は、直流電源１１から供給される電流をコレクタ電流Ｉｃとしてゲート抵抗Ｒｇに流す。予め定める電圧は、エミッタ抵抗での電圧降下と、トランジスタＱ２のベースエミッタ間電圧ＶＢＥと、抵抗Ｒ１での電圧降下とを加算した電圧である。コレクタ電流Ｉｃがゲート抵抗Ｒｇに流れると、ゲート電圧ＶＧが上昇し、トランジスタＱ１のゲートソース間の電圧差が少なくなるので、出力電流Ｉｏｕｔが制限電流値Ｉｌｉｍで制限される。電流制限の期間の時間（以下「電流制限時間」という）Ｔｄは、ゲート抵抗の抵抗値およびタイマ用コンデンサＣ１の静電容量で決まる。すなわち、電流制限時間Ｔｄは、タイマ用コンデンサＣ１をゲート抵抗Ｒｇから流れる電流で充電し、タイマ用コンデンサＣ１の両端電圧がトランジスタＱ３のベースエミッタ間電圧ＶＢＥになるまでの時間である。ベースエミッタ間電圧ＶＢＥは、約０．６Ｖである。
【００２８】
ゲート抵抗Ｒｇを流れる電流の一部がタイマ用コンデンサＣ１を充電し、トランジスタＱ３のベース電圧が上昇する。トランジスタＱ３のベース電圧が上昇し、時刻ｔ２に、ベース電圧が、トランジスタＱ３のベースエミッタ間電圧ＶＢＥに達すると、トランジスタＱ３はオンになる。トランジスタＱ３がオンになると、トランジスタＱ２のベース電流が増加し、トランジスタＱ２はフルオン状態、つまり短絡状態となる。トランジスタＱ２がフルオン状態になると、トランジスタＱ１のゲートソース間の電圧がほぼ０Ｖとなり、トランジスタＱ１はオフし、シャットダウンの期間に入る。
【００２９】
地絡した直後の出力電流Ｉｏｕｔの制限電流値Ｉｌｉｍは、トランジスタＱ１のゲートソース間の電圧をＶＧＳとし、トランジスタＱ２のコレクタ電流をＩｃとし、トランジスタＱ２のベースエミッタ間電圧ＶＢＥをＶＢＥ２とし、トランジスタＱ２の電流増幅率をβとすると、式（１），（２）が成立する。
ＶＩＮ＝Ｒｓ×Ｉｌｉｍ＋ＶＧＳ＋Ｒｇ×Ｉｃ                      …（１）
Ｒｓ×Ｉｌｉｍ＝Ｒｅ×Ｉｃ＋ＶＢＥ２＋Ｒ１×（Ｉｃ／β）        …（２）
【００３０】
トランジスタＱ２のベース電流Ｉｃ／β≒０とすると、式（１），（２）から式（３）が成立する。
Ｉｌｉｍ＝ＶＢＥ２／Ｒｓ＋Ｒｅ×（ＶＩＮ−ＶＧＳ−ＶＢＥ）
／（（Ｒｇ＋Ｒｅ）×Ｒｓ）                            …（３）
【００３１】
ここで、式（３）のエミッタ抵抗Ｒｅの抵抗値が０オームである場合、Ｉｌｉｍ＝ＶＢＥ２／Ｒｓとなる。トランジスタＱ２のベースエミッタ間電圧ＶＢＥ２は、−２ｍＶ／度Ｃの温度特性があるので、高温になると、制限電流値Ｉｌｉｍは低下する。また。式（３）からエミッタ抵抗Ｒｅが０オームでない場合、第２項の分だけ制限電流値Ｉｌｉｍが大きく、その分トランジスタＱ２の温度特性を小さくすることができる。制限電流値Ｉｌｉｍは、予め定める電流値である。
【００３２】
抵抗Ｒ２，Ｒ３，Ｒｇ、トランジスタＱ３、およびタイマ用コンデンサＣ１は、タイマラッチ回路を構成し、ゲート電圧ＶＧが上昇し電流制限を開始した時点から電流制限時間Ｔｄを計時し、電流制限時間Ｔｄが計時された時点で、トランジスタＱ２をフルオン状態として、トランジスタＱ１をオフとし、トランジスタＱ１をシャットダウン状態とする。
【００３３】
このように、出力遮断回路１は、出力電流Ｉｏｕｔを制限電流値Ｉｌｉｍに制限する電流制限機能と、トランジスタＱ１を強制的にオフにするシャットダウン機能とを兼ね備えている。そして、ゲート抵抗Ｒｇは、トランジスタＱ１のゲート電圧ＶＧをバイアスするゲートバイアス機能と、タイマ用コンデンサＣ１を充電する機能とを兼ね備えており、出力遮断回路１は、より簡単な回路構成で実現することができる。
【００３４】
図４は、本発明の第２実施形態である出力遮断回路１ａを備える電源回路１０ａの回路構成を示す図である。電源回路１０ａは、図２に示した電源回路１０に、出力電圧ＶＯＵＴを検出するための抵抗Ｒａ，Ｒｂを追加した回路である。出力遮断回路１ａは、図２に示した出力遮断回路１と同じ回路構成である。出力遮断回路１ａを除く電源回路１０ａの構成要素のうち図２に示した電源回路１０の構成要素と同じ構成要素については、同じ参照符を付して、重複を避けるために説明は省略する。
【００３５】
図２に示した電源回路１０は、負荷が地絡し、シャットダウンの期間に入ると、負荷での地絡が解除されても、トランジスタＱ２，Ｑ３ともオンの状態を維持するので、シャットダウンの状態（以下「シャットダウン状態」という）を解除するためには、一旦スイッチ１２を切断した後、再度接続する必要がある。これを可能とするために、電源回路１０ａは、出力電圧ＶＯＵＴを抵抗Ｒａ，Ｒｂで分圧した電圧を、たとえばマイクロコンピュータ（以下「マイコン」という）によって監視し、出力電圧ＶＯＵＴがグランドレベルまで下がったとき、負荷が地絡したと判断し、マイコンによってスイッチ１２を一旦切断した後、再度接続する。電源回路１０ａは、正常な期間でも、抵抗Ｒａ，Ｒｂに電流が流れるので、無駄な消費電流が発生する。
【００３６】
図５は、本発明の第３実施形態である出力遮断回路１ｂを備える電源回路１０ｂの回路構成を示す図である。電源回路１０ｂは、直流電源１１、トランジスタＱ１、ゲート抵抗Ｒｇ、コンデンサＣｏｕｔ、出力部１３および出力遮断回路１ｂを含んで構成されている。電源回路１０ｂの構成要素のうち図２に示した電源回路１０の構成要素と同じ構成要素については、同じ参照符を付して、重複を避けるために説明は省略する。
【００３７】
出力遮断回路１ｂは、電流検出用抵抗Ｒｓ、エミッタ抵抗Ｒｅ、抵抗Ｒ１〜Ｒ３、トランジスタＱ２，Ｑ３、タイマ用コンデンサＣ１、およびマイコン１４を含んで構成されている。出力遮断回路１ｂの構成要素のうち図２に示した出力遮断回路１の構成要素と同じ構成要素については、同じ参照符を付して、重複を避けるために説明は省略する。
【００３８】
マイコン１４は、ゲート電圧ＶＧがＦａｉｌ信号として入力ポートＩＮまたはアナログデジタル変換ポートＡＤに入力され、出力ポートＯＵＴからＲｅｓｔａｒｔ信号がトランジスタＱ３のベースに出力される。遮断信号であるＲｅｓｔａｒｔ信号は、トランジスタＱ１のシャットダウン状態を解除するための信号である。
【００３９】
制御手段であるマイコン１４は、たとえば図示しない中央処理装置（以下「ＣＰＵ」という）および図示しない記憶装置を含んで構成され、ＣＰＵは、記憶装置に記憶されるプログラムを実行することによって、Ｆａｉｌ信号を監視し、Ｆａｉｌ信号に基づいて、Ｒｅｓｔａｒｔ信号の出力を制御する。マイコン１４は、Ｆａｉｌ信号、つまりゲート電圧ＶＧがトランジスタＱ１をオフとする電圧になったとき、シャットダウン状態になったことを検出する。マイコン１４は、ゲート電圧ＶＧがトランジスタＱ１をオフとする電圧になった時点から、たとえば予め定める第２の時間を計時し、予め定める第２の時間が計時されたときに、Ｒｅｓｔａｒｔ信号を出力する。シャットダウンするまでの時間、つまり電流制限時間Ｔｄは、数ｍｓ〜数十ｍｓであるが、予め定める第２の時間は、電流制限時間Ｔｄより長い時間であってもよい。
【００４０】
図６は、出力遮断回路１ｂの動作を説明するためのタイムチャートである。時刻ｔ１に、負荷に地絡が発生してから、時刻ｔ２に、トランジスタＱ１がオフになり、シャットダウンの期間に入るまでの動作は、図３に示したタイムチャートでの動作と同じであり、説明は省略する。
【００４１】
マイコン１４は、Ｆａｉｌ信号によって、ゲート電圧ＶＧがトランジスタＱ１をオフとする電圧になったことを検出し、Ｒｅｓｔａｒｔ信号をローレベル（図６では、Ｒｅｓｔａｒｔ信号をハイレベルで表わしている）とすることによって、トランジスタＱ３をオフとする。トランジスタＱ３がオフになると、トランジスタＱ２のベース電流が減少するので、トランジスタＱ２のコレクタ電流が減少する。トランジスタＱ２のコレクタ電流が減少すると、ゲート電圧ＶＧが下がり、トランジスタＱ１はオンとなる。
【００４２】
負荷の地絡が解除されていない場合、トランジスタＱ１がオンとなると、地絡がないときに負荷が必要とする電流よりも多い電流が流れるので、トランジスタＱ２はオンの状態を継続する。すなわち、トランジスタＱ２は、トランジスタＱ１を制限電流値Ｉｌｉｍで電流制限を行う。
【００４３】
トランジスタＱ３のベース電圧は、Ｒｅｓｔａｒｔ信号によってグランドレベルまで下げられているが、時刻ｔ４にＲｅｓｔａｒｔ信号が解除されると、トランジスタＱ２のコレクタ電流Ｉｃが継続してゲート抵抗に供給されているので、コレクタ電流Ｉｃの一部がタイマ用コンデンサＣ１に充電される。Ｒｅｓｔａｒｔ信号が解除されてから電流制限時間Ｔｄが経過した時刻ｔ５に、トランジスタＱ３が再びオンとなり、トランジスタＱ１をオフとする。
【００４４】
時刻ｔ６に負荷の地絡が解除されている場合、Ｒｅｓｔａｒｔ信号が出力されると、トランジスタＱ３がオフになり、トランジスタＱ１はオンとなる。トランジスタＱ１がオンとなったとき、負荷の地絡が解除されて出力電流Ｉｏｕｔが減少しているので、電流検出用抵抗Ｒｓを流れる電流は、地絡がないときに負荷が必要とする電流になっており、電流検出用抵抗Ｒｓでの電圧降下が下がり、トランジスタＱ２はオフとなり、電源回路１０ｂは、正常な状態に復帰する。
【００４５】
出力遮断回路１ｂは、電流制限のみを継続する場合よりも、電流検出用抵抗ＲｓおよびトランジスタＱ１での電力損失を低減することができ、発熱を抑えることができる。また、シャットダウン状態になってから予め定める第２の時間が経過したときに、Ｒｅｓｔａｒｔ信号によってトランジスタＱ３をオフにしているので、負荷での地絡が解除されていれば、電源回路１０ｂを正常な状態に復帰させることができる。
【００４６】
また、電流制限を行うことなく、いきなりシャットダウンするのではなく、電流制限を行った後シャットダウンするので、負荷に静電容量の大きいコンデンサがあるときに生じるラッシュ電流を防止することができ、また瞬間的な過電流の場合に、シャットダウンすることを防止することができる。
【００４７】
図７は、本発明の第４実施形態である出力遮断回路１ｃを備える電源回路１０ｃの回路構成を示す図である。電源回路１０ｃは、図５に示した電源回路１０ｂの変形例である。図５に示した電源回路１０ｂは、入力電圧ＶＩＮがマイコン１４に供給される電圧よりも低い場合に適用されるが、入力電圧ＶＩＮがマイコン１４に供給される電圧よりも高い場合、トランジスタＱ２がオンになると、トランジスタＱ１のゲート電圧ＶＧがマイコン１４に供給される電圧よりも高くなるため、ゲート電圧ＶＧを直接マイコン１４に入力することができない。電源回路１０ｃは、ゲート電圧ＶＧを直接マイコン１４に入力することができる電圧に下げてマイコン１４に入力している。
【００４８】
電源回路１０ｃは、直流電源１１、トランジスタＱ１、ゲート抵抗Ｒｇ１，Ｒｇ２、コンデンサＣｏｕｔ、出力部１３および出力遮断回路１ｃを含んで構成されている。電源回路１０ｂの構成要素のうち図５に示した電源回路１０ｂの構成要素と同じ構成要素については、同じ参照符を付して、重複を避けるために説明は省略する。
【００４９】
ゲート抵抗Ｒｇ１は、一端がトランジスタＱ１のゲート、およびトランジスタＱ２のコレクタに接続され、他端がゲート抵抗Ｒｇ２の一端、およびマイコン１４の入力ポートＩＮまたはアナログデジタル変換ポートＡＤに接続されている。ゲート抵抗Ｒｇ２は、一端がゲート抵抗Ｒｇ１の他端、およびマイコン１４の入力ポートＩＮまたはアナログデジタル変換ポートＡＤに接続され、他端が抵抗Ｒ３の一端、タイマ用コンデンサＣ１の一端、トランジスタＱ３のベース、および後述するトランジスタＱ４のコレクタに接続されている。
【００５０】
第１の抵抗素子であるゲート抵抗Ｒｇ１，Ｒｇ２は、入力電圧ＶＩＮがマイコンに供給される電圧よりも高い場合、図２に示した電源回路１０で用いられるゲート抵抗Ｒｇの代わりに用いられるゲート抵抗であり、マイコン１４に入力するＦａｉｌ信号の電圧が、マイコンに供給される電圧よりも低い電圧になるように分圧する。
【００５１】
出力遮断回路１ｃは、電流検出用抵抗Ｒｓ、エミッタ抵抗Ｒｅ、抵抗Ｒ１〜Ｒ５、トランジスタＱ２〜Ｑ４、タイマ用コンデンサＣ１、およびマイコン１４を含んで構成されている。出力遮断回路１ｃの構成要素のうち図５に示した出力遮断回路１ｂの構成要素と同じ構成要素については、同じ参照符を付して、重複を避けるために説明は省略する。
【００５２】
トランジスタＱ４は、たとえばＮＰＮ型のバイポーラトランジスタであり、コレクタが抵抗Ｒ３の一端、タイマ用コンデンサＣ１の一端、トランジスタＱ３のベース、およびゲート抵抗Ｒｇ２の他端に接続され、エミッタが接地され、ベースが抵抗Ｒ４の一端および抵抗Ｒ５の一端に接続されている。抵抗Ｒ４は、一端がトランジスタＱ４のベース、および抵抗Ｒ５の一端に接続され、他端がマイコン１４の出力ポートＯＵＴに接続されている。抵抗Ｒ５は、一端がトランジスタＱ４のベース、および抵抗Ｒ４の一端に接続され、他端が接地されている。マイコン１４、トランジスタＱ４、および抵抗Ｒ４，Ｒ５は、制御手段である。
【００５３】
図５に示したマイコン１４は、Ｒｅｓｔａｒｔ信号をローレベルで出力したが、図７に示したマイコン１４は、Ｒｅｓｔａｒｔ信号をハイレベルで出力する。Ｒｅｓｔａｒｔ信号が出力されると、トランジスタＱ４がオンになり、トランジスタＱ３のベース電圧をグランドレベルまで下げて、トランジスタＱ３をオフにする。
【００５４】
図８は、本発明の第５実施形態である出力遮断回路１ｄを備える電源回路１０ｄの回路構成を示す図である。電源回路１０ｄは、図５に示した電源回路１０ｂの変形例であり、電源回路１０ｃと同様に、ゲート電圧ＶＧを直接マイコン１４に入力することができる電圧に下げてマイコン１４に入力している。
【００５５】
電源回路１０ｄは、直流電源１１、トランジスタＱ１、ゲート抵抗Ｒｇ、コンデンサＣｏｕｔ、出力部１３および出力遮断回路１ｄを含んで構成されている。電源回路１０ｄの構成要素のうち図５に示した電源回路１０ｂの構成要素と同じ構成要素については、同じ参照符を付して、重複を避けるために説明は省略する。
【００５６】
出力遮断回路１ｄは、図７に示した出力遮断回路１ｃの変形例であり、電流検出用抵抗Ｒｓ、エミッタ抵抗Ｒｅ、抵抗Ｒ１〜Ｒ６、トランジスタＱ２〜Ｑ４、タイマ用コンデンサＣ１、マイコン１４、およびダイオードＤ１を含んで構成されている。出力遮断回路１ｄの構成要素のうち図７に示した出力遮断回路１ｃの構成要素と同じ構成要素については、同じ参照符を付して、重複を避けるために説明は省略する。
【００５７】
抵抗Ｒ６は、一端がトランジスタＱ１のゲート、トランジスタＱ２のコレクタ、ゲート抵抗Ｒｇの一端に接続され、他端がマイコン１４の入力ポートＩＮまたはアナログデジタル変換ポートＡＤ、およびダイオードＤ１のカソードに接続されている。ダイオードＤ１は、たとえばツェナーダイオードによって構成され、アノードが接地され、カソードが抵抗Ｒ６の他端、およびマイコン１４の入力ポートＩＮまたはアナログデジタル変換ポートＡＤに接続されている。
【００５８】
入力電圧ＶＩＮがマイコンに供給される電圧よりも高い場合、出力遮断回路１ｄは、抵抗Ｒ６とダイオードＤ１によって、マイコン１４に入力するＦａｉｌ信号の電圧を、マイコンに供給される電圧よりも低い電圧になるようにしている。マイコン１４、トランジスタＱ４、抵抗Ｒ４〜Ｒ６、およびダイオードＤ１は、制御手段である。
【００５９】
出力遮断回路１ｂは、正常な期間では、負荷電流、つまり出力電流Ｉｏｕｔのみが電源回路１０ｂに流れ、トランジスタＱ２，Ｑ３には、電流は流れない。また、出力遮断回路１ｃ，１ｄは、正常な期間では、負荷電流のみが電源回路１０ｃ，１０ｄに流れ、トランジスタＱ２〜Ｑ４には、電流は流れない。
【００６０】
図９は、本発明の第６実施形態である出力遮断回路１ｅを備える電源回路１０ｅの回路構成を示す図である。上述した実施の形態では、マイコン１４は、ゲート電圧ＶＧを監視して、トランジスタＱ１がオフになり、シャットダウン状態になったことを検出したが、出力遮断回路１ｅは、トランジスタＱ３のコレクタの電圧を監視してシャットダウン状態になったことを検出する。
【００６１】
電源回路１０ｅは、直流電源１１、トランジスタＱ１、ゲート抵抗Ｒｇ、コンデンサＣｏｕｔ、出力部１３および出力遮断回路１ｅを含んで構成されている。電源回路１０ｅの構成要素のうち図８に示した電源回路１０ｄの構成要素と同じ構成要素については、同じ参照符を付して、重複を避けるために説明は省略する。
【００６２】
出力遮断回路１ｅは、電流検出用抵抗Ｒｓ、エミッタ抵抗Ｒｅ、抵抗Ｒ１〜Ｒ５，Ｒ７、トランジスタＱ２〜Ｑ４、タイマ用コンデンサＣ１、マイコン１４、およびダイオードＤ２を含んで構成されている。出力遮断回路１ｅの構成要素のうち図８に示した出力遮断回路１ｄの構成要素と同じ構成要素については、同じ参照符を付して、重複を避けるために説明は省略する。
【００６３】
ダイオードＤ２は、アノードがマイコン１４の入力ポートＩＮまたはアナログデジタル変換ポートＡＤ、および抵抗Ｒ７の一端に接続され、カソードが抵抗Ｒ２とトランジスタＱ３のコレクタとの接続点に接続されている。抵抗Ｒ７は、一端がマイコン１４の入力ポートＩＮまたはアナログデジタル変換ポートＡＤ、およびダイオードＤ２のアノードに接続され、他端に、マイコン１４に印加される直流電圧ＶＤＤが印加されている。
【００６４】
マイコン１４は、Ｆａｉｌ信号として、トランジスタＱ３のコレクタの電圧を監視している。Ｆａｉｌ信号がローレベルになると、シャットダウンが行われたこと、すなわちトランジスタＱ１がオフになったことを検出することができる。
【００６５】
ダイオードＤ２は、入力電圧ＶＩＮがマイコン１４に印加される直流電圧ＶＤＤよりも高い場合、トランジスタＱ３がオフのときに、入力電圧ＶＩＮが、直流電圧ＶＤＤ以上の電圧で、電流検出用抵抗Ｒｓおよび抵抗Ｒ１，Ｒ２を介してマイコン１４の入力ポートＩＮまたはアナログデジタル変換ポートＡＤに印加されることを防止するために設けられるダイオードである。マイコン１４、トランジスタＱ４、抵抗Ｒ４、Ｒ５，Ｒ７、およびダイオードＤ２は、制御手段である。
【００６６】
図１０は、出力遮断回路１ｅの動作を説明するためのタイムチャートである。このタイムチャートは、図６に示したタイムチャートと、Ｆａｉｌ信号を除いて同じである。Ｆａｉｌ信号は、トランジスタＱ３のコレクタの電圧を表す信号であるので、トランジスタＱ３がオンの期間、つまりシャットダウンの期間だけ、ローレベルとなる。
【００６７】
図１１は、本発明の第７実施形態である出力遮断回路１ｆを備える電源回路１０ｆの回路構成を示す図である。上述した実施の形態では、電流制限時間Ｔｄを、タイマ用コンデンサＣ１を用いて計時したが、出力遮断回路１ｆは、マイコン１４が電流制限時間Ｔｄを計時する。
【００６８】
電源回路１０ｆは、直流電源１１、トランジスタＱ１、ゲート抵抗Ｒｇ１，Ｒｇ２、コンデンサＣｏｕｔ、出力部１３および出力遮断回路１ｆを含んで構成されている。電源回路１０ｆの構成要素のうち図５に示した電源回路１０ｂの構成要素と同じ構成要素については、同じ参照符を付して、重複を避けるために説明は省略する。
【００６９】
ゲート抵抗Ｒｇ１は、一端がトランジスタＱ１のゲート、およびトランジスタＱ２のコレクタに接続され、他端がゲート抵抗Ｒｇ２の一端、およびマイコン１４の入力ポートＩＮまたはアナログデジタル変換ポートＡＤに接続されている。ゲート抵抗Ｒｇ２は、一端がゲート抵抗Ｒｇ１の他端、およびマイコン１４の入力ポートＩＮまたはアナログデジタル変換ポートＡＤに接続され、他端が接地されている。
【００７０】
ゲート抵抗Ｒｇ１，Ｒｇ２は、入力電圧ＶＩＮがマイコン１４に供給される電圧よりも高い場合、図５に示した電源回路１０ｂで用いられるゲート抵抗Ｒｇの代わりに用いられるゲート抵抗であり、マイコン１４に入力するＦａｉｌ信号の電圧が、マイコン１４に供給される電圧よりも低い電圧になるように分圧する。
【００７１】
出力遮断回路１ｆは、電流検出用抵抗Ｒｓ、エミッタ抵抗Ｒｅ、抵抗Ｒ１，Ｒ２，Ｒ８，Ｒ９、トランジスタＱ２，Ｑ３、およびマイコン１４を含んで構成されている。出力遮断回路１ｆの構成要素のうち図５に示した出力遮断回路１ｂの構成要素と同じ構成要素については、同じ参照符を付して、重複を避けるために説明は省略する。
【００７２】
抵抗Ｒ８は、一端がトランジスタＱ３のベース、および抵抗Ｒ９の一端に接続され、他端がマイコン１４の出力ポートＯＵＴに接続されている。抵抗Ｒ９は、一端がトランジスタＱ３のベース、および抵抗Ｒ８の一端に接続され、他端が接地されている。
【００７３】
マイコン１４は、Ｆａｉｌ信号によってゲート電圧ＶＧを監視し、ゲート電圧ＶＧをゲート抵抗Ｒｇ１とゲート抵抗Ｒｇ２とで分圧した電圧が、ゲート電圧ＶＧが制限電圧になる電圧になったとき、電流制限が行われたこと、すなわちトランジスタＱ２がオンになったことを検出する。制限電圧は、ゲート電圧ＶＧがトランジスタＱ１を制限電流値Ｉｌｉｍの出力電流を出力させる電圧である。マイコン１４は、正常の期間、およびＲｅｓｔａｒｔ信号を出力するときに、ローレベルを出力し、トランジスタＱ３をオン、そしてトランジスタＱ１をオフにして、シャットダウン状態とするときに、ハイレベルを出力する。マイコン１４、および抵抗Ｒ８，Ｒ９は、制御手段である。
【００７４】
抵抗Ｒ２およびトランジスタＱ３は、ラッチ回路を構成し、電流制限時間Ｔｄが計時された時点で、トランジスタＱ２をフルオン状態として、トランジスタＱ１をオフとし、トランジスタＱ１をシャットダウン状態とする。
【００７５】
図１２は、出力遮断回路１ｆの動作を説明するためのタイムチャートである。時刻ｔ１１に負荷が地絡すると、トランジスタＱ２がオンとなり、コレクタ電流Ｉｃがゲート抵抗Ｒｇ１,Ｒｇ２に供給され、ゲート電圧ＶＧが上昇する。ゲート電圧ＶＧが上昇すると、トランジスタＱ１の出力電流ＩＯＵＴが制限電流値Ｉｌｉｍに制限される。このとき、ゲート電圧ＶＧをゲート抵抗Ｒｇ１とゲート抵抗Ｒｇ２とで分圧した電圧が上昇して、電流制限が行われる電圧になるので、マイコン１４は、電流制限が行われたことを検出することができる。
【００７６】
マイコン１４は、電流制限が行われたことを検出してから、電流制限時間Ｔｄを計時し、電流制限時間Ｔｄが経過した時刻ｔ１２に、Ｒｅｓｔａｒｔ信号をローレベルからハイレベルに変化させて、トランジスタＱ３をオンとする。トランジスタＱ３がオンになると、トランジスタＱ２はフルオン状態となり、トランジスタＱ１をオフし、シャットダウン状態とする。トランジスタＱ１がオフになる。このとき、ゲート電圧ＶＧは、トランジスタＱ１をオフになる電圧まで上昇している。
【００７７】
マイコン１４は、トランジスタＱ１をシャットダウンしてから、予め定める第２の時間を計時し、予め定める第２の時間を計時した時刻ｔ１３に、Ｒｅｓｔａｒｔ信号をハイレベルからローレベルに変化させる。Ｒｅｓｔａｒｔ信号がローレベルになると、トランジスタＱ３はオフとなり、トランジスタＱ１はオンとなる。しかし、負荷の地絡が解除されていないと、トランジスタＱ２はオンのままで、電流制限がかかった状態になる。
【００７８】
マイコン１４は、ゲート電圧ＶＧがシャットダウンの状態の電圧から電流制限の状態の電圧に下がったことを時刻ｔ１４に検出すると、まだ負荷の地絡が解除されていないので、電流制限時間Ｔｄを計時し、電流制限時間Ｔｄが経過した時刻ｔ１５に、Ｒｅｓｔａｒｔ信号をローレベルからハイレベルに変化させ、トランジスタＱ１を再びオフとし、シャットダウン状態とする。
【００７９】
マイコン１４は、トランジスタＱ１をオフしてから、予め定める第２の時間を計時し、予め定める第２の時間を計時した時刻ｔ１７に、Ｒｅｓｔａｒｔ信号をハイレベルからローレベルに変化させる。時刻ｔ１５と時刻ｔ１７との間の時刻ｔ１６に負荷の地絡が解除されていると、時刻ｔ１７にＲｅｓｔａｒｔ信号がローレベルになり、トランジスタＱ３がオフ、そしてトランジスタＱ１がオンになったとき、トランジスタＱ２はオフになり、電源回路１０ｆは、正常な動作を再開する。
【００８０】
出力遮断回路１ｆは、タイマ用コンデンサＣ１が不要であり、回路構成を簡単化することができる。
【００８１】
図１３は、本発明の第８実施形態である出力遮断回路１ｇを備える電源回路１０ｇの回路構成を示す図である。電源回路１０ｇは、図１１に示した電源回路１０ｆの変形例である。電源回路１０ｇは、直流電源１１、トランジスタＱ１、ゲート抵抗Ｒｇ１，Ｒｇ２、コンデンサＣｏｕｔ、出力部１３および出力遮断回路１ｇを含んで構成されている。電源回路１０ｇの構成要素のうち図１１に示した電源回路１０ｆの構成要素と同じ構成要素については、同じ参照符を付して、重複を避けるために説明は省略する。
【００８２】
出力遮断回路１ｇは、電流検出用抵抗Ｒｓ、エミッタ抵抗Ｒｅ、抵抗Ｒ１，Ｒ２，Ｒ８〜Ｒ１０、トランジスタＱ２，Ｑ３，Ｑ５、およびマイコン１４を含んで構成されている。出力遮断回路１ｇの構成要素のうち図１１に示した出力遮断回路１ｆの構成要素と同じ構成要素については、同じ参照符を付して、重複を避けるために説明は省略する。
【００８３】
トランジスタＱ５は、たとえばＮＰＮ型のバイポーラトランジスタであり、ベースがゲート抵抗Ｒｇ１とゲート抵抗Ｒｇ２との接続点に接続され、コレクタが抵抗Ｒ１０の一端、およびマイコン１４の入力ポートＩＮまたはアナログデジタル変換ポートＡＤに接続され、エミッタが接地されている。抵抗Ｒ１０は、一端がトランジスタＱ５のコレクタ、およびマイコン１４の入力ポートＩＮまたはアナログデジタル変換ポートＡＤに接続されて、他端に、マイコン１４に印加される直流電圧ＶＤＤが印加されている。
【００８４】
トランジスタＱ２がオフのとき、つまりゲート電圧ＶＧがほぼ０Ｖのとき、トランジスタＱ５はオフで、コレクタの電圧、つまりＦａｉｌ信号は、ハイレベルである。トランジスタＱ２がオンになり、電流制限が行われると、Ｆａｉｌ信号は、ゲート電圧ＶＧが制限電圧になる電圧である。トランジスタＱ３がオンになりシャットダウンの状態になると、グランドレベルになる。マイコン１４は、Ｆａｉｌ信号の電圧を監視することによって、正常の状態か、電流制限の状態か、シャットダウン状態かを検出することができる。マイコン１４、トランジスタＱ５、および抵抗Ｒ８〜Ｒ１０は、制御手段である。
【００８５】
出力遮断回路１ｆは、正常な期間では、負荷電流のみが電源回路１０ｆに流れ、トランジスタＱ２，Ｑ３には、電流は流れない。また、出力遮断回路１ｇは、正常な期間では、負荷電流のみが電源回路１０ｇに流れ、トランジスタＱ２，Ｑ３，Ｑ５には、電流は流れない。
【００８６】
図１４は、本発明の第９実施形態である出力遮断回路１ｈを備える電源回路１０ｈの回路構成を示す図である。図１４（ａ）は、電源回路１０ｈの回路構成を示す図である。電源回路１０ｈは、直流電源１１、トランジスタＱ１、ゲート抵抗Ｒｇ１，Ｒｇ２、コンデンサＣｏｕｔ、出力部１３および出力遮断回路１ｈを含んで構成されている。電源回路１０ｈの構成要素のうち図１１に示した電源回路１０ｆの構成要素と同じ構成要素については、同じ参照符を付して、重複を避けるために説明は省略する。
【００８７】
出力遮断回路１ｈは、電流検出用抵抗Ｒｓ、エミッタ抵抗Ｒｅ、抵抗Ｒ１１，Ｒ１２、トランジスタＱ２，Ｑ６、タイマ用コンデンサＣ２、マイコン１４，およびトランジスタ部Ｔｒ１，Ｔｒ２を含んで構成されている。出力遮断回路１ｈは、図５に示した出力遮断回路１ｂのトランジスタＱ３およびタイマ用コンデンサＣ１の代わりに、トランジスタＱ６およびタイマ用コンデンサＣ２を用いる回路である。出力遮断回路１ｈの構成要素のうち図５に示した出力遮断回路１ｂの構成要素と同じ構成要素については、同じ参照符を付して、重複を避けるために説明は省略する。
【００８８】
上述したタイマ用コンデンサＣ１は、ゲート電圧ＶＧの上昇を契機に電流制限時間Ｔｄを計時するコンデンサであるが、タイマ用コンデンサＣ２は、出力電圧ＶＯＵＴの低下を契機に電流制限時間Ｔｄを計時するコンデンサである。
【００８９】
図１４（ｂ）は、トランジスタ部Ｔｒ１の構成を示す図であり、図１４（ｃ）は、トランジスタ部Ｔｒ２の構成を示す図である。トランジスタ部Ｔｒ１は、トランジスタＱ７、および抵抗Ｒ１３，Ｒ１４によって構成されている。トランジスタＱ７は、たとえばＰＮＰ型のバイポーラトランジスタによって構成され、ベースが抵抗Ｒ１３の一端、および抵抗Ｒ１４の一端に接続され、エミッタが抵抗Ｒ１３の他端、および電流検出用抵抗ＲｓとトランジスタＱ１のソースとの接続点に接続され、コレクタがトランジスタＱ６のベースに接続されている。
【００９０】
トランジスタ部Ｔｒ２は、トランジスタＱ８、および抵抗Ｒ１５，Ｒ１６によって構成されている。トランジスタＱ８は、たとえばＮＰＮ型のバイポーラトランジスタによって構成され、ベースが抵抗Ｒ１５の一端、および抵抗Ｒ１６の一端に接続され、エミッタが抵抗Ｒ１５の他端に接続されているとともに、接地され、コレクタが抵抗Ｒ１４の他端に接続されている。抵抗Ｒ１６は、他端がマイコン１４の出力ポートＯＵＴに接続されている。
【００９１】
トランジスタＱ６は、たとえばＰＮＰ型のバイポーラトランジスタであり、エミッタが電流検出用抵抗ＲｓとトランジスタＱ１のソースとの接続点に接続され、ベースがトランジスタＱ７のコレクタに接続され、コレクタがトランジスタＱ２のコレクタ、トランジスタＱ１のゲート、およびゲート抵抗Ｒｇ１の一端に接続されている。タイマ用コンデンサＣ２は、一端が電流検出用抵抗ＲｓとトランジスタＱ１のソースとの接続点に接続され、他端がトランジスタＱ６のベースとトランジスタＱ７のコレクタとの接続点に接続されている。
【００９２】
抵抗Ｒ１１は、一端が電流検出用抵抗ＲｓとトランジスタＱ１のソースとの接続点に接続され、他端がトランジスタＱ６のベースとトランジスタＱ７のコレクタとの接続点に接続されている。抵抗Ｒ１２は、一端がトランジスタＱ６のベースとトランジスタＱ７のコレクタとの接続点に接続され、他端がトランジスタＱ１のドレインと出力部１３との接続点に接続されている。トランジスタ部Ｔｒ１，Ｔｒ２、およびマイコン１４は、制御手段である。抵抗Ｒ１２およびタイマ用コンデンサＣ２は、計時手段である。
【００９３】
抵抗Ｒ１１，Ｒ１２、トランジスタＱ６、およびタイマ用コンデンサＣ２は、タイマラッチ回路を構成し、電流制限を開始したことによって出力電圧ＶＯＵＴが予め定める第３の電圧まで低下した時点から電流制限時間Ｔｄを計時し、電流制限時間Ｔｄが計時された時点で、トランジスタＱ１をオフとし、トランジスタＱ１をシャットダウン状態とする。
【００９４】
図１５は、出力遮断回路１ｈの動作を説明するためのタイムチャートである。トランジスタＱ１がオンの状態で、負荷が短絡していないとき、トランジスタＱ６のベース電圧はほぼトランジスタＱ６のエミッタと同じ電圧であり、トランジスタＱ６はオフの状態である。
【００９５】
時刻ｔ２１に負荷が地絡すると、出力電流Ｉｏｕｔが増大する。出力電流Ｉｏｕｔが増大すると、電流検出用抵抗Ｒｓでの電圧降下が増加する。電流検出用抵抗Ｒｓでの電圧降下が、予め定める電圧になると、トランジスタＱ２にベース電流が流れ、トランジスタＱ２は、直流電源１１から供給される電流をコレクタ電流Ｉｃとしてゲート抵抗Ｒｇ１，Ｒｇ２に流し、ゲート電圧ＶＧは上昇する。ゲート電圧ＶＧが上昇し、制限電圧になると、トランジスタＱ１のゲートソース間の電圧差が少なくなるので、出力電流Ｉｏｕｔが制限電流値Ｉｌｉｍで制限される。予め定める電圧は、エミッタ抵抗での電圧降下とトランジスタＱ２のベースエミッタ間電圧ＶＢＥとを加算した電圧である。
【００９６】
また、時刻ｔ２１に負荷が地絡すると、出力電流Ｉｏｕｔが制限電流値Ｉｌｉｍで制限され、出力電圧ＶＯＵＴが低下するので、トランジスタＱ６のベース電圧（図では「Ｑ６ベース」という）は、低下を開始する。電流制限時間Ｔｄが経過した時刻ｔ２２に、トランジスタＱ６のベースとエミッタとの間の電圧がベースエミッタ間電圧ＶＢＥになると、ベース電流が流れ、トランジスタＱ６がオンになる。トランジスタＱ６がオンになると、トランジスタＱ１のゲート電圧ＶＧとソース電圧との差がなくなり、トランジスタＱ１はオフになり、シャットダウン状態となる。電流制限時間Ｔｄは、抵抗Ｒ１２の抵抗値およびタイマ用コンデンサＣ２の静電容量で決まる。
【００９７】
マイコン１４が、Ｒｅｓｔａｒｔ信号をハイレベルとすると、トランジスタＱ８がオン、そしてトランジスタＱ７がオンとなる。トランジスタＱ７がオンになると、トランジスタＱ６のベース電圧とエミッタ電圧とがほぼ同じ電圧になるので、トランジスタＱ６がオフとなる。トランジスタＱ６がオフになると、ゲート電圧ＶＧが制限電圧まで下がり、トランジスタＱ１がオンとなり、シャットダウン状態が解除される。
【００９８】
負荷の地絡が解除されていない場合、電流検出用抵抗Ｒｓでの電圧降下は、エミッタ抵抗での電圧降下とトランジスタＱ２のベースエミッタ間電圧ＶＢＥとを加算した電圧であり、トランジスタＱ２はオンの状態を継続する。すなわち、トランジスタＱ２は、トランジスタＱ１がオンになっているので、電流制限を行う。トランジスタＱ６のベース電圧とエミッタ電圧とは、Ｒｅｓｔａｒｔ信号によってほぼ同じ電圧にされているが、時刻ｔ２４にＲｅｓｔａｒｔ信号が解除されても、電流制限が行われており、抵抗Ｒ１２の負荷側、つまり出力電圧ＶＯＵＴが低下しているので、タイマ用コンデンサＣ２が接続されているトランジスタＱ６のベース電圧が低下し始める。Ｒｅｓｔａｒｔ信号が解除されてから電流制限時間Ｔｄが経過した時刻ｔ２５に、トランジスタＱ６が再びオンとなり、トランジスタＱ１をオフとする。
【００９９】
時刻ｔ２６で負荷の地絡が解除された場合、Ｒｅｓｔａｒｔ信号が出力されると、トランジスタＱ６がオフになり、トランジスタＱ１はオンとなる。トランジスタＱ１がオンとなったとき、負荷の地絡が解除されて出力電流Ｉｏｕｔが減少しているので、電流検出用抵抗Ｒｓでの電圧降下はエミッタ抵抗での電圧降下とトランジスタＱ２のベースエミッタ間電圧ＶＢＥとを加算した電圧未満になっており、トランジスタＱ２はオフとなる。電源回路１０ｈは、正常な状態に復帰する。
【０１００】
図１６は、本発明の第１０実施形態である出力遮断回路１ｊを備える電源回路１０ｊの回路構成を示す図である。電源回路１０ｊは、図１４に示した電源回路１０ｈの変形例である。電源回路１０ｊは、直流電源１１、トランジスタＱ１、ゲート抵抗Ｒｇ１，Ｒｇ２、コンデンサＣｏｕｔ、出力部１３および出力遮断回路１ｊを含んで構成されている。電源回路１０ｊの構成要素のうち図１４に示した電源回路１０ｈの構成要素と同じ構成要素については、同じ参照符を付して、重複を避けるために説明は省略する。
【０１０１】
出力遮断回路１ｈは、電流検出用抵抗Ｒｓ、エミッタ抵抗Ｒｅ、抵抗Ｒ１０〜Ｒ１２、トランジスタＱ２，Ｑ５，Ｑ６、タイマ用コンデンサＣ２、マイコン１４，およびトランジスタ部Ｔｒ１，Ｔｒ２を含んで構成されている。出力遮断回路１ｊの構成要素のうち図１４に示した出力遮断回路１ｈの構成要素と同じ構成要素については、同じ参照符を付して、重複を避けるために説明は省略する。トランジスタＱ５および抵抗Ｒ１０は、図１３に示したトランジスタＱ５および抵抗Ｒ１０と同じである。トランジスタ部Ｔｒ１，Ｔｒ２、マイコン１４、抵抗Ｒ１０、およびトランジスタＱ５は、制御手段である。
【０１０２】
出力遮断回路１ｈは、正常な期間では、負荷電流のみが電源回路１０ｈに流れ、トランジスタＱ２，Ｑ６〜Ｑ８には、電流は流れない。また、出力遮断回路１ｊは、正常な期間では、負荷電流のみが電源回路１０ｊに流れ、トランジスタＱ２，Ｑ５〜Ｑ８には、電流は流れない。
【０１０３】
図１７は、本発明の第１１実施形態である出力遮断回路１ｋを備える電源回路１０ｋの回路構成を示す図である。上述したタイマ用コンデンサＣ１による電流制限時間Ｔｄの計時は、ゲート電圧ＶＧの上昇を契機に行ったが、出力遮断回路１ｋでは、出力電圧ＶＯＵＴの低下を契機に行う。
【０１０４】
電源回路１０ｋは、直流電源１１、トランジスタＱ１、ゲート抵抗Ｒｇ、コンデンサＣｏｕｔ、出力部１３および出力遮断回路１ｋを含んで構成されている。電源回路１０ｋの構成要素のうち図９に示した電源回路１０ｅの構成要素と同じ構成要素については、同じ参照符を付して、重複を避けるために説明は省略する。
【０１０５】
出力遮断回路１ｋは、図９に示した出力遮断回路１ｅの変形例である。出力遮断回路１ｋは、電流検出用抵抗Ｒｓ、エミッタ抵抗Ｒｅ、抵抗Ｒ１，Ｒ２，Ｒ４，Ｒ５，Ｒ７，Ｒ１１，Ｒ１２，Ｒ１７，Ｒ１８、トランジスタＱ２〜Ｑ４，Ｑ９、タイマ用コンデンサＣ１、マイコン１４、およびダイオードＤ２を含んで構成されている。出力遮断回路１ｋの構成要素のうち図９に示した出力遮断回路１ｅの構成要素と同じ構成要素については、同じ参照符を付して、重複を避けるために説明は省略する。
【０１０６】
第４のトランジスタであるトランジスタＱ９は、たとえばＰＮＰ型のバイポーラトランジスタによって構成され、エミッタが電流検出用抵抗ＲｓとトランジスタＱ１のソースとの接続点に接続され、ベースが抵抗Ｒ１１の一端、および抵抗Ｒ１２の一端に接続され、コレクタが抵抗１７の一端に接続されている。抵抗Ｒ１１は、一端がトランジスタＱ９のベース、および抵抗Ｒ１２の一端に接続され、他端が電流検出用抵抗ＲｓとトランジスタＱ１のソースとの接続点に接続されている。第３の抵抗素子である抵抗Ｒ１２は、一端がトランジスタＱ９のベース、および抵抗Ｒ１２の一端に接続され、他端がトランジスタＱ１のドレインと出力部１３との接続点に接続されている。
【０１０７】
第４の抵抗素子である抵抗１７は、一端がトランジスタＱ９のコレクタに接続され、他端が抵抗１８の一端に接続されている。第５の抵抗素子である抵抗１８は、一端が抵抗１７の他端に接続され、他端が接地されている。トランジスタＱ３のベース、コンデンサであるタイマ用コンデンサＣ１の一端、およびトランジスタＱ４のコレクタは、図９に示した出力遮断回路１ｅでは、ゲート抵抗Ｒｇと抵抗Ｒ３との接続点に接続されているが、出力遮断回路１ｋでは、抵抗Ｒ１７と抵抗Ｒ１８との接続点に接続されている。
【０１０８】
抵抗Ｒ１，Ｒ２，Ｒ１１，Ｒ１２，Ｒ１７，Ｒ１８、トランジスタＱ３，Ｑ９、およびタイマ用コンデンサＣ１は、タイマラッチ回路を構成し、電流制限を開始したことによって出力電圧ＶＯＵＴが低下した時点から電流制限時間Ｔｄを計時し、電流制限時間Ｔｄが計時された時点で、トランジスタＱ１をオフとし、トランジスタＱ１をシャットダウン状態とする。
【０１０９】
図１７に示した出力遮断回路１ｋは、ゲート電圧ＶＧが上昇しても、回路上、コンデンサＣ１へ電流が流れないため、出力電流Ｉｏｕｔの増加に応じて計時を開始する構成としている。
【０１１０】
図１８は、出力遮断回路１ｋの動作を説明するためのタイムチャートである。タイムチャートそのものは、図６に示したタイムチャートと同じであり、タイマラッチ回路の動作の相違点のみを説明する。負荷が短絡していない状態では、トランジスタＱ１のドレインの電圧は、ほぼソースの電圧に等しいので、トランジスタＱ９は、オフである。
【０１１１】
時刻ｔ１に負荷が地絡すると、トランジスタＱ２がオンとなり、出力電流Ｉｏｕｔが制限電流値Ｉｌｉｍで制限される。出力電流Ｉｏｕｔが制限電流値Ｉｌｉｍで制限されると、出力電圧ＶＯＵＴが低下するので、抵抗Ｒ１２によって、トランジスタＱ９のベースにベース電流が流れ、トランジスタＱ９がオンになる。
【０１１２】
トランジスタＱ９がオンになると、タイマ用コンデンサＣ１の電圧が、抵抗Ｒ１７の抵抗値とタイマ用コンデンサＣ１の静電容量との積で決まる時定数で上昇し、時刻ｔ２にベースエミッタ間電圧ＶＢＥになると、トランジスタＱ３がオンとなる。トランジスタＱ３がオンになると、トランジスタＱ２のベース電流が増加し、トランジスタＱ２はフルオン状態となる。トランジスタＱ２がフルオン状態になると、トランジスタＱ１のゲートソース間の電圧がほぼ０Ｖとなり、トランジスタＱ１はオフし、シャットダウン状態となる。
【０１１３】
マイコン１４が、Ｒｅｓｔａｒｔ信号をハイレベルとし、トランジスタＱ４をオンとすることによって、トランジスタＱ３をオフとする。トランジスタＱ３がオフになると、トランジスタＱ２のベース電流が減少するので、トランジスタＱ２のコレクタ電流が減少する。トランジスタＱ２のコレクタ電流が減少すると、ゲート電圧ＶＧが下がり、トランジスタＱ１はオンとなる。
【０１１４】
負荷の地絡が解除されていない場合、トランジスタＱ２はオンの状態を継続し、出力電流Ｉｏｕｔは、制限電流値Ｉｌｉｍに制限されているので、トランジスタＱ９は、オンの状態を継続する。トランジスタＱ３のベース電圧は、Ｒｅｓｔａｒｔ信号によってグランドレベルまで下げられているが、時刻ｔ４にＲｅｓｔａｒｔ信号が解除されると、トランジスタＱ９の電流が抵抗１７に供給されるので、タイマ用コンデンサＣ１の電圧が上昇する。Ｒｅｓｔａｒｔ信号が解除されてから電流制限時間Ｔｄが経過した時刻ｔ５に、トランジスタＱ３が再びオンとなり、トランジスタＱ１をオフとする。
【０１１５】
時刻ｔ６に負荷の地絡が解除され、時刻ｔ５にトランジスタＱ１がオフとなった時点から予め定める第２の時間が経過した時刻ｔ７に、マイコン１４は、Ｒｅｓｔａｒｔ信号を出力する。Ｒｅｓｔａｒｔ信号が出力されると、トランジスタＱ３がオフになり、トランジスタＱ１もオンとなる。トランジスタＱ１がオンとなったとき、負荷の地絡が解除されて出力電流Ｉｏｕｔが減少しているので、電流検出用抵抗Ｒｓでの電圧降下は、エミッタ抵抗での電圧降下とトランジスタＱ２のベースエミッタ間電圧ＶＢＥとを加算した電圧未満になっており、トランジスタＱ２はオフとなり、電源回路１０ｋは、正常な状態に復帰する。
【０１１６】
図１９は、本発明の第１２実施形態である出力遮断回路１ｍを備える電源回路１０ｍの回路構成を示す図である。電源回路１０ｍは、図１７に示した電源回路１０ｋの変形例である。電源回路１０ｍは、直流電源１１、トランジスタＱ１、ゲート抵抗Ｒｇ、コンデンサＣｏｕｔ、出力部１３および出力遮断回路１ｍを含んで構成されている。電源回路１０ｍの構成要素のうち図１７に示した電源回路１０ｋの構成要素と同じ構成要素については、同じ参照符を付して、重複を避けるために説明は省略する。
【０１１７】
出力遮断回路１ｍは、電流検出用抵抗Ｒｓ、エミッタ抵抗Ｒｅ、抵抗Ｒ１，Ｒ２，Ｒ４，Ｒ５，Ｒ７，Ｒ１１，Ｒ１２，Ｒ１７〜Ｒ１９、トランジスタＱ２〜Ｑ４，Ｑ９、タイマ用コンデンサＣ１、マイコン１４、およびダイオードＤ２〜４を含んで構成されている。出力遮断回路１ｍの構成要素のうち図１７に示した出力遮断回路１ｋの構成要素と同じ構成要素については、同じ参照符を付して、重複を避けるために説明は省略する。出力遮断回路１ｍは、図１７に示した抵抗１７の代わりに、直列に接続した抵抗Ｒ１９，Ｒ２０を用いており、ダイオードＤ３，Ｄ４が追加されている。
【０１１８】
第６の抵抗素子である抵抗１９は、一端がトランジスタＱ９のコレクタに接続され、他端が抵抗１７の一端、およびダイオードＤ３のアノードに接続されている。ダイオードＤ３は、アノードが抵抗Ｒ１９と抵抗１７との接続点に接続され、カソードがダイオードＤ４のアノードに接続されている。ダイオードＤ４は、アノードがダイオードＤ３のカソードに接続され、カソードが接地されている。
【０１１９】
クランプ部であるダイオードＤ３，Ｄ４は、抵抗Ｒ１９と抵抗１７との接続点の電圧を、予め定める第３の電圧、たとえばダイオードの１個分の電圧降下ＶＦの２倍の電圧以下になるようにクランプしている。したがって、トランジスタＱ９がオンとなり、トランジスタＱ９から抵抗Ｒ１９に供給される電流の電流値が増加しても、抵抗Ｒ１９と抵抗１７との接続点の電圧を２ＶＦにすることができるので、タイマ用コンデンサＣ１を充電する電流は、トランジスタＱ９から抵抗Ｒ１９に供給される電流に依存せず、一定値にすることができる。したがって、電流制限時間を一定の時間にすることができる。
【０１２０】
たとえばタイマ用コンデンサＣ１の静電容量をＣ１、抵抗Ｒ１７の抵抗値をＲ１７とすると、電流制限時間Ｔｄは、Ｃ１×Ｒ１７である。タイマ用コンデンサＣ１および抵抗Ｒ１７に温度変動の小さいものを用いれば、温度変動による電流制限時間Ｔｄの変動を小さくすることができる。
【０１２１】
出力遮断回路１ｋ，１ｍは、正常な期間では、負荷電流のみが電源回路１０ｋ，１０ｍに流れ、トランジスタＱ２〜Ｑ４，Ｑ９には、電流は流れない。
【０１２２】
出力遮断回路１，１ａ〜１ｍを用いる電源回路１０，１０ａ〜１０ｍは、たとえば車載用のオーディオ機器、ビデオ機器、ナビゲーション装置、これらを組み合わせた装置、あるいは携帯電話機などバッテリを用いている電子機器に適用することができる。
【０１２３】
図２に示した出力遮断回路１、図４に示した出力遮断回路１ａ、図５に示した出力遮断回路１ｂ、図７に示した出力遮断回路１ｃ、図８に示した出力遮断回路１ｄおよび図９に示した出力遮断回路１ｅは、負荷電流を徐々に単調増加させた場合、ゲート電圧ＶＧが上昇して、トランジスタＱ１に電流制限がかかるより先にトランジスタＱ３がオンして出力が遮断される。これに対して、図１４に示した出力遮断回路１ｈ、図１６に示した出力遮断回路１ｊおよび図１７に示した出力遮断回路１ｋは、トランジスタＱ３がないので、負荷電流を徐々に単調増加させた場合でも、ゲート電圧ＶＧが上昇して電流制限がかかった後で出力が遮断される。
【０１２４】
すなわち、出力遮断回路１，１ａ〜１ｅは、出力が地絡したときの電流制限値Ｉｌｉｍと、負荷電流を徐々に増加させたときトランジスタＱ３がオンして出力電流を遮断する第２の出力電流値Ｉｌｉｍ２とは異なるが、出力遮断回路１ｈ，１ｊ，１ｋは、電流制限値Ｉｌｉｍと第２の出力電流値Ｉｌｉｍ２とは同じになる。
【０１２５】
電流制限値Ｉｌｉｍは、式（３）で求められ、抵抗Ｒｅによって、その温度変動を小さくすることができる。しかしながら、第２の出力電流値Ｉｌｉｍ２は、トランジスタＱ３のベースエミッタ間電圧ＶＢＥ３＝Ｒ３×Ｉｃ、およびＲｓ×Ｉｌｉｍ２＝Ｒｅ×Ｉｃ＋トランジスタＱ２のＶＢＥ２という関係から、式（４）で表わされ、抵抗Ｒｅがあっても温度特性は変わらない。ここに、Ｒｓ，Ｒｅ，Ｒ３は、それぞれ抵抗Ｒｓ，Ｒｅ，Ｒ３の抵抗値である。
Ｉｌｉｍ２＝ＶＢＥ２／Ｒｓ＋ＶＢＥ３×Ｒｅ／（Ｒ３×Ｒｓ）      …（４）
【０１２６】
したがって、出力遮断回路１，１ａ〜１ｅは、負荷電流を徐々に増加させたときに、出力を遮断する電流値の温度変動が大きいという欠点があるが、出力遮断回路１ｈ，１ｊ，１ｋは、抵抗Ｒｅによってその温度変動を小さくすることができる。
【０１２７】
図２０は、車載用のＡＶＮ（Audio Video Navigation）装置１００の構成を示す図である。ＡＶＮ装置１００は、バッテリ１０１、オーディオ基板１０２および電子回路１０３を含んで構成されている。オーディオ基板１０２は、バッテリ１０１を除く、出力遮断回路１を備える電源回路１０を含んで構成されている。電子回路１０３は、たとえばＬＥＤ群、ＬＥＤドライバ、モータ、センサ、あるいはランプなどによって構成されている。
【０１２８】
バッテリ１０１および出力遮断回路１を含む電源回路１０の電圧は、負荷である制御回路１０５に印加されている。オーディオ基板１０２と電子回路１０３とはフレキシブル基板１０６によって接続されている。
【０１２９】
図２０に示した例は、出力遮断回路１を備える電源回路１０を用いたが、出力遮断回路１ａ〜１ｍを用いる電源回路１０ａ〜１０ｍのいずれを用いてもよい。出力遮断回路１，１ａ〜１ｍは、正常に動作しているとき、出力遮断回路１，１ａ〜１ｍで用いるトランジスタは、いずれもオフであり、暗電流が少なく、バッテリを用いる電子機器では有用である。また、出力遮断回路１，１ａ〜１ｍは、簡単な回路構成で実現されるので、電子機器を小型化し、かつコストダウンを図ることができる。
【０１３０】
このように、電流検出用抵抗Ｒｓは、ソース、負荷に接続されているドレイン、およびゲート抵抗Ｒｇを介して接地されているゲートを備えるトランジスタＱ１のソースに一端が接続され、他端が直流電源に接続されている。ＰＮＰ型のトランジスタＱ２は、エミッタが直流電源に接続され、ベースが電流検出用抵抗ＲｓとトランジスタＱ１のソースとの接続点に接続され、コレクタがトランジスタＱ１のゲートとゲート抵抗Ｒｇとの接続点に接続され、電流検出用抵抗Ｒｓの電圧降下が予め定める電圧になると、ゲートの電圧が、トランジスタＱ１が予め定める電流値の電流を出力する電圧になる電流をゲート抵抗Ｒｇへ供給する。計時手段、たとえばゲート抵抗ＲｇおよびトランジスタＱ３によって、ゲートの電圧が、トランジスタＱ１が予め定める電流値の電流を出力する電圧になった時点から予め定める時間が計時される。そして、ＮＰＮ型のトランジスタＱ３は、エミッタが接地され、コレクタが抵抗Ｒ２を介してトランジスタＱ２のベースに接続され、ベースがゲート抵抗ＲｇとトランジスタＱ３との接続点に接続され、ゲート抵抗ＲｇおよびトランジスタＱ３によって予め定める時間が計時されたとき導通状態となり、ゲートの電圧がトランジスタＱ１が遮断状態となる電圧になる電流を、ゲート抵抗ＲｇへトランジスタＱ２に供給させる。
【０１３１】
したがって、負荷が地絡している間、電流制限の後、トランジスタＱ１をオフとするので、電流制限を継続する場合よりも、電流検出用抵抗ＲｓおよびトランジスタＱ１での電力損失を低減することができ、発熱を抑えることができる。すなわち、簡単な回路構成で、素子の大きさを小さくすることができ、かつ負荷が短絡したとき、その素子の破壊を防止することができる。
【０１３２】
さらに、制御手段によって、ゲートの電圧が監視され、監視されるゲートの電圧が、トランジスタＱ１が遮断状態になる電圧になった時点から経過した時間が計時され、計時された時間が予め定める第２の時間になったとき、トランジスタＱ３を遮断状態にするためのＲｅｓｔａｒｔ信号がトランジスタＱ３のベースに出力される。制御手段は、たとえば出力遮断回路１ｂでは、マイコン１４であり、出力遮断回路１ｃでは、マイコン１４、トランジスタＱ４、および抵抗Ｒ４，Ｒ５であり、出力遮断回路１ｄでは、マイコン１４、トランジスタＱ４、抵抗Ｒ４〜Ｒ６、およびダイオードＤ１である。したがって、電流制限を継続する場合よりも、電流検出用抵抗ＲｓおよびトランジスタＱ１での電力損失を低減することができ、発熱を抑えることができる。すなわち、簡単な回路構成で、素子の大きさを小さくすることができ、かつ負荷が短絡したとき、その素子の破壊を防止することができる。
【０１３３】
さらに、マイコン１４、トランジスタＱ４、抵抗Ｒ４、Ｒ５，Ｒ７、およびダイオードＤ２によって、トランジスタＱ３のコレクタと抵抗Ｒ２との接続点の電圧が監視され、監視される前記接続点の電圧が、トランジスタＱ１が遮断状態になる電圧になった時点から経過した時間が計時され、計時された時間が予め定める第２の時間になったとき、トランジスタＱ３を遮断状態にするためのＲｅｓｔａｒｔ信号がトランジスタＱ３のベースに出力される。したがって、図２に示した出力遮断回路１、図４に示した出力遮断回路１ａ、図５に示した出力遮断回路１ｂ、図７に示した出力遮断回路１ｃ、および図８に示した出力遮断回路１ｄでは、電流制限時にもＦａｉｌ信号が出力されるが、図９に示した出力遮断回路１ｅは、タイマ時間後シャットダウンされた時点で、Ｆａｉｌ信号が出力される。また、入力電圧ＶＩＮがマイコン１４に供給される電圧より高い場合、トランジスタＱ３がオフの状態のとき、入力電圧ＶＩＮが、電流検出用抵抗Ｒｓ、および抵抗Ｒ１，Ｒ２を介して、マイコン１４の入力ポートＩＮの印加されることを防止することができる。
【０１３４】
さらに、制御手段によって、計時手段が含まれ、ゲートの電圧が監視され、監視されるゲートの電圧が、トランジスタＱ１が遮断状態になる電圧になった時点から経過した時間が計時され、計時された時間が予め定める第２の時間になったとき、トランジスタＱ３を遮断状態にするためのＲｅｓｔａｒｔ信号がトランジスタＱ３のベースに出力される。制御手段は、たとえば出力遮断回路１ｆでは、マイコン１４、および抵抗Ｒ８，Ｒ９であり、出力遮断回路１ｇでは、マイコン１４、トランジスタＱ５、および抵抗Ｒ８〜Ｒ１０である。したがって、タイマ用コンデンサＣ１を用いることなく、電流制限時間Ｔｄの時間を計時することができるので、部品を減らし、回路を簡単化することができる。
【０１３５】
さらに、電流検出用抵抗Ｒｓは、ソース、負荷に接続されているドレイン、およびゲート抵抗Ｒｇ１，Ｒｇ２を介して接地されているゲートを備えるトランジスタＱ１のソースに一端が接続され、他端が直流電源に接続されている。ＰＮＰ型のトランジスタＱ２は、エミッタが直流電源に接続され、ベースがトランジスタＱ１のソースと電流検出用抵抗Ｒｓとの接続点に接続され、コレクタがトランジスタＱ１のゲートとゲート抵抗Ｒｇ１，Ｒｇ２との接続点に接続され、電流検出用抵抗Ｒｓの電圧降下が予め定める電圧になると、ゲートの電圧が、トランジスタＱ１が予め定める電流値の電流を出力する電圧になる電流をゲート抵抗Ｒｇ１，Ｒｇ２へ供給する。抵抗Ｒ１２およびタイマ用コンデンサＣ２によって、ゲートの電圧が、トランジスタＱ１が予め定める電流値の電流を出力する電圧になり、出力端子１３の電圧が予め定める第３の電圧まで低下した時点から予め定める時間が計時される。ＰＮＰ型のトランジスタＱ３は、エミッタがトランジスタＱ１のソースと電流検出用抵抗Ｒｓとの接続点に接続され、コレクタがトランジスタＱ１のゲートとゲート抵抗Ｒｇ１との接続点に接続され、ベースが抵抗Ｒ１２およびタイマ用コンデンサＣ２に接続され、抵抗Ｒ１２およびタイマ用コンデンサＣ２によって予め定める時間が計時されたとき、導通状態となる。そして、制御手段によって、ゲートの電圧を分圧した電圧を監視し、監視するゲートの電圧を分圧した電圧が、トランジスタＱ１を遮断状態とする電圧になった時点から経過した時間を計時し、計時した時間が予め定める第２の時間になったとき、トランジスタＱ３を遮断状態にするためのＲｅｓｔａｒｔ信号をトランジスタＱ３のベースに出力する。制御手段は、たとえば出力遮断回路１ｈでは、トランジスタ部Ｔｒ１，Ｔｒ２、およびマイコン１４であり、出力遮断回路１ｊでは、トランジスタ部Ｔｒ１，Ｔｒ２、マイコン１４、抵抗Ｒ１０、およびトランジスタＱ５である。
【０１３６】
したがって、電流制限を継続する場合よりも、電流検出用抵抗ＲｓおよびトランジスタＱ１での電力損失を低減することができるので、発熱を抑えることができる。
【０１３７】
さらに、前記計時手段は、ＰＮＰ型のトランジスタＱ９と、抵抗Ｒ１２と、抵抗Ｒ１７と、抵抗Ｒ１８と、タイマ用コンデンサＣ１とを含む。トランジスタＱ９は、エミッタが電流検出用抵抗ＲｓとトランジスタＱ１のソースとの接続点に接続されている。抵抗Ｒ１２は、一端がトランジスタＱ９のベースに接続され、他端がドレインに接続されている。抵抗Ｒ１７は、一端がトランジスタＱ９のコレクタに接続されている。抵抗Ｒ１８は、一端が抵抗Ｒ１７の他端に接続され、他端が接地されている。そして、タイマ用コンデンサＣ１は、一端がトランジスタＱ３のベース、および抵抗Ｒ１７と抵抗Ｒ１８との接続点に接続され、他端が接地されている。
【０１３８】
さらに、前記計時手段は、ダイオードＤ３，Ｄ４を含む。ダイオードＤ３，Ｄ４は、トランジスタＱ９のコレクタと抵抗Ｒ１７との間に設けられる抵抗Ｒ１９と、抵抗Ｒ１７と抵抗Ｒ１９との接続点の電圧を予め定める第２の電圧、たとえば２ＶＦ以下にする。したがって、入力電圧が変動しても、計時手段を構成するタイマ用コンデンサＣ１を充電する電流の電流値を一定値にすることができ、電流制限時間Ｔｄを一定の時間にすることができる。
【０１３９】
さらに、出力遮断回路１，１ａ〜１ｍのうちのいずれか１つを備えるので、正常時は動作電流がゼロになり、暗電流を小さくすることができ、また、過電流時は出力を遮断して、消費電流を小さくすることができ、バッテリ切れの可能性を低減することができる。
【符号の説明】
【０１４０】
１，１ａ〜１ｍ，９  出力遮断回路
１０，１０ａ〜１０ｍ，９０  電源回路
１１  直流電源
１２  スイッチ
１３  出力部
１４  マイコン
１００  ＡＶＮ装置１００
１０１  バッテリ
１０２  オーディオ基板
１０３  電子回路
１０５  制御回路
１０６  フレキシブル基板
Ｃ１，Ｃ２  タイマ用コンデンサ
Ｃｏｕｔ  コンデンサ
Ｄ１〜Ｄ４  ダイオード
Ｒ１〜Ｒ１９，Ｒａ，Ｒｂ  抵抗
Ｒｅ  エミッタ抵抗
Ｒｇ，Ｒｇ１，Ｒｇ２  ゲート抵抗
Ｒｓ  電流検出用抵抗
Ｑ１〜Ｑ９  トランジスタ
Ｔｒ１，Ｔｒ２  トランジスタ部
【図１】
2011041393.tif 000003
【図２】
2011041393.tif 000004
【図３】
2011041393.tif 000005
【図４】
2011041393.tif 000006
【図５】
2011041393.tif 000007
【図６】
2011041393.tif 000008
【図７】
2011041393.tif 000009
【図８】
2011041393.tif 000010
【図９】
2011041393.tif 000011
【図１０】
2011041393.tif 000012
【図１１】
2011041393.tif 000013
【図１２】
2011041393.tif 000014
【図１３】
2011041393.tif 000015
【図１４】
2011041393.tif 000016
【図１５】
2011041393.tif 000017
【図１６】
2011041393.tif 000018
【図１７】
2011041393.tif 000019
【図１８】
2011041393.tif 000020
【図１９】
2011041393.tif 000021
【図２０】
2011041393.tif 000022